(57)【要約】【課題】  コンピュータ端末で使用される表示装置を用いた画像の拡大表示において、周囲の状況に応じて画像の拡大倍率を自動的に判定し、ユーザの操作に関する負担を軽減することを目的とする。【解決手段】  本システムは、授業を実施する際に表示装置を用いて画像を拡大して表示させる指示端末から、拡大する対象となる画像に関する情報と、拡大指示に関する情報を取得する。そして、拡大指示が出された時点において実施されている授業のカリキュラム情報に基づいて画像の拡大倍率を判定し、その判定した拡大倍率に基づいて画像を拡大して表示装置に表示させる。【選択図】図３
2011170500.tif 000002
【特許請求の範囲】
【請求項１】
授業を実施する際に、表示装置を用いて画像の所定領域を拡大して表示させる指示端末を有する表示変更システムにおいて、前記所定領域の画像情報を取得する画像情報取得部と、前記画像の拡大を指示する拡大指示情報を取得する拡大指示情報取得部と、前記拡大指示情報の取得時において実施されている前期授業のカリキュラム情報を取得するカリキュラム情報取得部と、前記カリキュラム情報に基づいて前記画像情報の拡大倍率を判定する倍率判定部と、前記拡大倍率に基づいて前記画像情報を拡大して前記表示装置に表示させる表示制御部と、を備えることを特徴とする表示変更システム。
【請求項２】
授業を実施する際に、表示装置を用いて画像の所定領域を拡大して表示させる指示端末と管理サーバとがネットワークで接続されている表示変更システムにおいて、前記管理サーバは、前記所定領域の画像情報を取得する画像情報取得部と、前記画像の拡大を指示する拡大指示情報を取得する拡大指示情報取得部と、前記拡大指示情報の取得時において前記ネットワークに接続している端末に関する情報を取得する端末情報取得部と、前記端末情報に基づいて生成された前記授業のカリキュラム情報を取得するカリキュラム情報取得部と、前記カリキュラム情報に基づいて前記画像情報の拡大倍率を判定する倍率判定部と、
前記拡大倍率に基づいて前記画像情報を拡大して前記表示装置に表示させる表示制御部と、を備えることを特徴とする表示変更システム。
【請求項３】
前記カリキュラム情報取得部は、前記カリキュラム情報として前記授業の内容、実施場所、受講人数、及び受講組織のいずれか一つ以上を含む情報を取得することを特徴とする請求項１又は請求項２に記載の表示変更システム。
【請求項４】
授業を実施する際に、表示装置を用いて画像の所定領域を拡大して表示させる指示端末を有する表示変更システムにおいて、前記所定領域の画像情報を取得する画像情報取得機能と、前記画像の拡大を指示する拡大指示情報を取得する拡大指示情報取得機能と、前記拡大指示情報の取得時において実施されている前記授業のカリキュラム情報を取得するカリキュラム情報取得機能と、前記カリキュラム情報に基づいて前記画像情報の拡大倍率を判定する倍率判定機能と、前記拡大倍率に基づいて前記画像情報を拡大して前記表示装置に表示させる表示制御機能と、をコンピュータに実現させる表示変更プログラム。
【請求項５】
授業を実施する際に、表示装置を用いて画像の所定領域を拡大して表示させる指示端末と管理サーバとがネットワークで接続されている拡大表示システムにおいて、前記所定領域の画像情報を取得する画像情報取得機能と、前記画像の拡大を指示する拡大指示情報を取得する拡大指示情報取得機能と、前記拡大指示情報の取得時において前記ネットワークに接続している端末に関する情報を取得する端末情報取得機能と、前記端末情報に基づいて生成された前記授業のカリキュラム情報を取得するカリキュラム情報取得機能と、前記カリキュラム情報に基づいて前記画像の拡大倍率を判定する倍率判定機能と、前記拡大倍率に基づいて前記画像情報を拡大して前記表示装置に表示させる表示制御機能と、を管理サーバに実現させる表示変更プログラム。
【発明の詳細な説明】
【技術分野】
【０００１】
本発明は、表示装置を用いた画像の表示に関し、特に画像の倍率を自動的に変更して表示する技術に関する。
【背景技術】
【０００２】
一般的に、授業や講演等のプレゼンテーションを行う際に、講演者が聴衆に分かりやすく説明するために、モニタやプロジェクタ等の表示装置で拡大表示した画像を使いながら説明するという方法が用いられる。しかし、拡大表示される画像に関して、講演者が設定する倍率が適切なものになっていないと、かえって聴衆にとって分かりづらいプレゼンテーションになってしまうという問題がある。例えば、設定した倍率が小さすぎたり、大きすぎたりした場合、表示装置に表示された細かい文字や表示を認識できない人や、表示されている画像の全体像を把握できない人が、聴衆の中から多数出てくるという問題である。
【０００３】
上記の問題を解決する手段として、コンピュータ端末の分野では、表示装置に表示される文章の種類に応じて、拡大表示の形式を変更するという技術がある。この技術において、表示装置に表示された文章の種類が縦書きか横書きかを判断し、その結果に応じて一方向のみに拡大するという手段が用いられている。具体的には、文章の種類が縦書きであった場合は横方向のみに拡大し、横書きであった場合は縦方向のみに拡大するという手段を用いている。これにより、表示される文章の種類に応じて、閲覧者が文章の全体像を把握しやすい形式で、自動的に拡大表示することができる。（特許文献１参照）
【先行技術文献】
【特許文献】
【０００４】
【特許文献１】特開２００２−２１５２８１（第５−７頁、第２、４図）
【発明の概要】
【発明が解決しようとする課題】
【０００５】
特許文献１の技術を用いると、表示装置が表示する文章の種類という、表示している画像の内容に応じて、自動的に拡大形式を設定することができる。しかし、閲覧者にとって見やすい倍率で拡大表示されているかどうかは判定できない。このため、プレゼンテーションを行う際に本技術を用いた場合、画像の閲覧者の数や画像が閲覧されている場所といった、周囲の状況に応じて適宜手動で倍率を調整しなければならず、ユーザにとって新たな負担が生じてしまうという問題がある。
【０００６】
本発明は、上記従来技術の問題点を解消することを課題とする。具体的には、表示装置を用いて画像を拡大表示する場合において、画像が閲覧される周囲の状況に応じて拡大倍率を自動的に決定することにより、プレゼンテーションを行うユーザの負担を軽減するシステムを提供することを課題とする。
【課題を解決するための手段】
【０００７】
上記の課題を解決するために、本発明の表示変更システムは、授業を実施する際に表示装置を用いて画像の所定領域を拡大して表示させる指示端末を有する形で構成されており、所定領域の画像情報を取得する画像情報取得部と、画像の拡大を指示する拡大指示情報を取得する拡大指示情報取得部と、拡大指示情報の取得時において実施されている授業のカリキュラム情報を取得するカリキュラム情報取得部と、カリキュラム情報に基づいて前記画像情報の拡大倍率を判定する倍率判定部と、拡大倍率に基づいて画像情報を拡大して表示装置に表示させる表示制御部と、を備えている。
【０００８】
本発明のように構成することにより、指示端末によって画像の拡大指示が出された日時を把握することができる。さらに、その日時において実施中の授業に関するカリキュラム情報を取得することにより、どういう状況で画像が閲覧されるのかを判定することができる。この判定結果に基づいて倍率を決定することにより、周囲の状況に応じた画像の拡大表示が可能となる。
【０００９】
本発明における授業とは、学校における授業だけではなく、講演者が聴衆に対して行うプレゼンテーションも含む概念のことをいう。具体的には、大学における講義、その他の講演、及び企業や特定のグループ内で行う報告会などが一例として考えられる。
【００１０】
本発明における表示装置とは、指定された画像を画面やスクリーン等に表示する装置のことをいう。具体的には、ディスプレイやプロジェクタなどが一例として考えられる。
【００１１】
本発明における所定領域とは、画像のうち拡大を要求する部分のことをいい、画像全体であっても、指示端末において指示した範囲であってもよい。
【００１２】
本発明におけるカリキュラム情報とは、授業の実施内容及び計画について示す情報のことをいう。具体的には、授業の内容、実施場所、実施日時、実施者、参加者人数、及び授業を受ける受講組織に関する情報などが一例として考えられる。
【００１３】
本発明の表示変更システムは、また、授業を実施する際に表示装置を用いて画像の所定領域を拡大して表示させる指示端末と管理サーバとがネットワークで接続されているという形で構成されており、その管理サーバには、所定領域の画像情報を取得する画像情報取得部と、画像の拡大を指示する拡大指示情報を取得する拡大指示情報取得部と、拡大指示情報の取得時においてネットワークに接続している端末に関する情報を取得する端末情報取得部と、端末情報に基づいて生成された授業のカリキュラム情報を取得するカリキュラム情報取得部と、カリキュラム情報に基づいて画像情報の拡大倍率を判定する倍率判定部と、拡大倍率に基づいて画像情報を拡大して表示装置に表示させる表示制御部と、を備えるという構成としてもよい。
【００１４】
本発明のように構成することにより、画像の拡大指示が出された時点においてネットワークに接続されている端末の情報を利用してカリキュラム情報を生成することができる。これにより、刻々と変化する周囲の状況に応じて、その時点において最適の倍率で拡大表示をすることが可能となる。
【００１５】
本発明の表示変更システムにおけるカリキュラム情報取得部は、カリキュラム情報として授業の内容、実施場所、受講人数、及び受講組織のいずれか一つ以上を含む情報を取得する、という構成としてもよい。
【００１６】
本実施例のように構成することにより、カリキュラム情報として授業に関する多様な情報を取得して利用することができるため、周囲の状況として様々な情報に対応した拡大倍率を決定することが可能となる。
【００１７】
また、本発明のプログラムを端末に読み込ませて実行することで、上述の本発明を実現させることも可能である。つまり、授業を実施する際に表示装置を用いて画像の所定領域を拡大して表示させる指示端末を有する表示変更システムにおいて、所定領域の画像情報を取得する画像情報取得機能と、画像の拡大を指示する拡大指示情報を取得する拡大指示情報取得機能と、拡大指示情報の取得時において実施されている授業のカリキュラム情報を取得するカリキュラム情報取得機能と、カリキュラム情報に基づいて画像情報の拡大倍率を判定する倍率判定機能と、拡大倍率に基づいて画像情報を拡大して表示装置に表示させる表示制御機能と、をコンピュータに実現させる表示変更プログラムとして構成してもよい。
【００１８】
この表示変更プログラムも、上述の表示変更システムと同様の作用効果を伴うものであり、上述した種々の特徴構成を備えることもできる。
【００１９】
また、本発明のプログラムを以下のように構成して端末に読み込ませて実行することで、上述の本発明を実現させることも可能である。つまり、授業を実施する際に表示装置を用いて画像の所定領域を拡大して表示させる指示端末と管理サーバとがネットワークに接続されている拡大表示システムにおいて、所定領域の画像情報を取得する画像情報取得機能と、画像の拡大を指示する拡大指示情報を取得する拡大指示情報取得機能と、拡大指示情報の取得時においてネットワークに接続している端末に関する情報を取得する端末情報取得機能と、端末情報に基づいて生成された授業のカリキュラム情報を取得するカリキュラム情報取得機能と、カリキュラム情報に基づいて画像の拡大倍率を判定する倍率判定機能と、拡大倍率に基づいて画像情報を拡大して表示装置に表示させる表示制御機能と、を管理サーバに実現させる表示変更プログラムとして構成してもよい。
【００２０】
この表示変更プログラムも、上述の表示変更システムと同様の作用効果を伴うものであり、上述した種々の特徴構成を備えることもできる。
【発明の効果】
【００２１】
上述のように構成された本発明によれば、表示装置を用いて画像を拡大表示する場合において、指示端末から拡大指示が出された日時における周囲の状況に応じた倍率で、画像を拡大表示することができる。これにより、授業を行うユーザの負担を軽減することができるという効果が得られる。
【図面の簡単な説明】
【００２２】
【図１】本発明の実施例１におけるシステム構成の一例を示す概念図。
【図２】本発明の管理サーバのハードウェア構成の一例を示す概念図。
【図３】本発明の実施例１におけるシステム構成の一例を示す機能ブロック図。
【図４】本発明の実施例１における処理プロセスの一例を示すフローチャート。
【図５】本発明の拡大指示情報の一例を示す図。
【図６】本発明の画像情報の一例を示す図。
【図７】本発明のカリキュラム情報記憶部１４に記憶されている情報の一例を示す図。
【図８】本発明の判定テーブル１６に記憶されている情報の一例を示す図。
【図９】本発明の表示制御情報の一例を示す図。
【図１０】本発明の拡大表示装置Ｃで表示する画像の一例を示すイメージ図。
【図１１】本発明の実施例２におけるシステム構成の一例を示す概念図。
【図１２】本発明の実施例２におけるシステム構成の一例を示す機能ブロック図。
【図１３】本発明の実施例３におけるシステム構成の一例を示す概念図。
【図１４】本発明の実施例３におけるシステム構成の一例を示す機能ブロック図。
【図１５】本発明の実施例３における処理プロセスの一例を示すフローチャート。
【図１６】本発明の端末情報の一例を示す図。
【図１７】本発明の端末情報記憶部１８ｂに記憶されている情報の一例を示す図。
【図１８】本発明のカリキュラム情報記憶部１４に記憶されている情報の一例を示す図。
【図１９】本発明の実施例４におけるシステム構成の一例を示す概念図。
【図２０】本発明の実施例４におけるシステム構成の一例を示す機能ブロック図。
【発明を実施するための形態】
【実施例１】
【００２３】
〔実施例１−構成〕
以下、図面を用いて本発明の実施形態を説明する。図１に、本発明の表示変更システムの全体構成の一例を概念的に示す。本発明は図１に示すように、情報管理サーバＡ（以下、「管理サーバＡ」という）が、指示端末Ｂ（以下、「端末Ｂ」という）及び拡大表示用表示装置Ｃ（以下、「拡大表示装置Ｃ」という）と、通信ネットワークＮ（以下、「ネットワークＮ」という）を介して接続されるという形で構成されている。
【００２４】
ネットワークＮは、企業や学校等の限られた施設内において情報を物理的に送るケーブルと、ＬＡＮスイッチやハブ等でなる中継機器を備えたＣＳＭＡ／ＣＤ（Ｃａｒｒｉｅｒ  Ｓｅｎｓｅ  Ｍｕｌｔｉｐｌｅ  Ａｃｃｅｓｓ  Ｗｉｔｈ  Ｃｏｌｌｉｓｉｏｎ  Ｄｅｔｅｃｔｉｏｎ）方式のイーサネット（登録商標）型のＬＡＮとして構成されたものであるが、このネットワークＮとしてイーサネット型のＬＡＮ以外に、インターネットの技術を用いたイントラネットで構築されたものや、ＷＡＮ（Ｗｉｄｅ  Ａｒｅａ  Ｎｅｔｗｏｒｋ）の技術によって構築されるものでもよい。
【００２５】
図２に、管理サーバＡ又は端末Ｂのハードウェア構成の一例を概念的に示す。
【００２６】
管理サーバＡは、プログラムの演算処理を実行するＣＰＵ等の演算装置１と、情報を記憶するＲＡＭやハードディスク等の記憶装置２と、演算装置１の処理結果や記憶装置２に記憶する情報をインターネットやＬＡＮ等のネットワークを介して送受信する通信装置３とを少なくとも有している。端末上で実現する各機能（各手段）は、その処理を実行する手段（プログラムやモジュール等）が演算装置１に読み込まれることでその処理が実行される。各機能は、記憶装置２に記憶した情報をその処理において使用する場合には、該当する情報を当該記憶装置２から読み出し、読み出した情報を適宜、演算装置１における処理に用いる。
【００２７】
管理サーバＡは、必要に応じてキーボード、マウス又はテンキー等の入力装置４と、ディスプレイ（画面）等の表示装置５を備えた構成としてもよい。ここでいう「表示装置５」は、管理サーバＡに直接接続される、又は管理サーバＡとハードウェア構成上一体となっているディスプレイ（画面）のことを示しており、「拡大表示装置Ｃ」とは異なるものである。また、管理サーバＡは、複数の端末又はサーバにその機能が分散配置されていてもよい。
【００２８】
端末Ｂのハードウェア構成も管理サーバＡとほぼ同様で、図２に示したとおり、演算装置１、記憶装置２、通信装置３、入力装置４及び表示装置５を有している。
【００２９】
図３に、本発明の表示変更システムを構成する管理サーバＡ、端末Ｂ及び拡大表示装置Ｃの機能ブロック図を示す。本発明における各構成部及び各手段は、その機能が論理的に区別されているのみであって、物理上あるいは事実上同一の領域を為していてもよい。
【００３０】
また、図３は、本発明において必要となる最小限度の機器、構成部及び手段等のみを記載しており、その他の機器、構成部及び手段等についてはその記載を省略する。
【００３１】
管理サーバＡは、ネットワークＮを介して端末Ｂ及び拡大表示装置Ｃと様々な情報を送受信するためのネットワークＩ／Ｆ１０、端末Ｂにおいて出力された拡大表示の指示を示す拡大指示情報を取得する拡大指示情報取得部１１、端末Ｂの表示装置５に表示された画像のうち拡大表示の対象となる領域の画像情報を取得する画像情報取得部１２、拡大指示情報を取得した時点において実施されている授業のカリキュラム情報を取得するカリキュラム情報取得部１３、授業に関するカリキュラム情報を記憶しているカリキュラム情報記憶部１４、取得したカリキュラム情報を利用して画像を拡大する倍率を判定する倍率判定部１５、倍率判定の基準となる情報を記憶する判定テーブル１６、判定した倍率に基づいて取得した画像を拡大して表示するための表示制御情報を生成して拡大表示装置Ｃに送信する表示制御部１７を備えている。
【００３２】
端末Ｂは、ネットワークＮを介して管理サーバＡ及び拡大表示装置Ｃと様々な情報を送受信するためのネットワークＩ／Ｆ２０、端末Ｂにおける各種動作を実行する端末制御部２１、端末Ｂにおいて実行された拡大指示に関する拡大指示情報を生成し管理サーバＡに送信する拡大指示情報生成部２２、端末Ｂの表示装置５に表示された画像のうち拡大表示の対象として指定された領域に関する画像情報を生成して管理サーバＡに送信する画像情報生成部２３、端末Ｂに対して情報を入力する入力装置４、端末制御部２１によって指示された情報を表示する表示装置５を備えている。
【００３３】
拡大表示装置Ｃは、ネットワークＮを介して管理サーバＡ及び端末Ｂと様々な情報を送受信するためのネットワークＩ／Ｆ３０、管理サーバＡから出力された表示制御情報を受信する表示制御情報受信部３１、拡大表示装置Ｃの各種動作を実行する表示装置制御部３２、表示装置制御部３２からの指示に応じて画像を表示する画像表示部３３を備えている。ここでいう拡大表示装置Ｃとは、指定された画像を画面やスクリーン等に拡大して表示する装置のことをいう。具体的には、ディスプレイやプロジェクタなどが一例として考えられる。また、表示装置を備えた端末自体が、拡大装置Ｃの役割を果たしていても良い。
【００３４】
以下、図３に記載した本発明を構成する機能ブロック図に基づいて、各構成部の動作について説明する。
【００３５】
拡大指示情報生成部２２は、端末Ｂのユーザが入力装置４を用いて拡大指示を行ったことを端末制御部２１から取得し、拡大指示情報を生成する。更に生成した拡大指示情報をネットワークＩ／Ｆ２０を介して管理サーバＡに送信する。
【００３６】
上記の拡大指示情報とは、端末Ｂの表示装置５で表示されている画像に対して、拡大表示を行わせるための操作指示がいつ出力されたかということを示す情報であって、拡大指示を行った端末Ｂを一義的に識別することができる端末識別情報、端末Ｂを操作しているユーザ（ログインユーザ）を一義的に識別することができるユーザ識別情報、拡大指示が出された日時を示す日時情報、又は、拡大する画像の中心位置を示す座標情報のいずれか一以上を少なくとも含むものをいう。
【００３７】
上記の座標情報とは、拡大の対象となる画像のうち、どの位置を中心に拡大処理を行うのかを示す情報のことをいう。この場合、拡大指示情報を生成した時点における表示装置５中に表示されているマウスカーソルの位置を座標情報とすると好適である。また、ユーザが別途座標位置を指定し、その指定した座標位置を座標情報としてもよい。
【００３８】
画像情報生成部２３は、端末Ｂの表示装置５に表示された画像のうち、ユーザが拡大指示の対象として指定した領域に表示されている画像に関する情報を端末制御部２１から取得し、画像情報を生成する。更に生成した画像情報をネットワークＩ／Ｆ２０を介して管理サーバＡに送信する。
【００３９】
上記の画像情報とは、端末Ｂのユーザによって指定された領域に表示されている画像データと、その領域指定がいつ行われたのかを示す情報であって、領域指定を行った端末Ｂを一義的に識別することができる端末識別情報、端末Ｂを操作しているユーザ（ログインユーザ）を一義的に識別することができるユーザ識別情報、領域指定が行われた日時を示す日時情報、及び指定された領域内に表示されている画像データを少なくとも含むものをいう。
【００４０】
上記のユーザによって指定された領域とは、端末Ｂの表示装置５における全表示領域でもよいし、ユーザが任意に矩形で囲った範囲内の表示領域であってもよい。
【００４１】
拡大指示情報取得部１１は、ネットワークＮに接続されている端末Ｂの拡大指示情報をネットワークＩ／Ｆ１０を介して取得し、取得した拡大指示情報をカリキュラム情報取得部１３に送信する。
【００４２】
画像情報取得部１２は、ネットワークＮに接続されている端末Ｂの画像情報をネットワークＩ／Ｆ１０を介して取得し、取得した画像情報を表示制御部１７に送信する。
【００４３】
カリキュラム情報取得部１３は、拡大指示情報取得部１１から取得した拡大指示情報に基づいて、カリキュラム情報記憶部１４に記憶されているカリキュラム情報の中から、拡大指示情報が出された時点（拡大指示時刻）において端末Ｂが行っている授業に該当するカリキュラム情報を抽出して取得する。そして、カリキュラム情報取得部１３は、取得したカリキュラム情報と拡大指示情報をあわせて倍率判定部１５に送信する。
【００４４】
カリキュラム情報記憶部１４には、端末Ｂを用いて実施される各授業に関するカリキュラム情報が記憶される。その際の記憶形式は、カリキュラム情報に含まれる授業の実施日時を示す日時情報を利用して、日時情報毎に関連づける形で保存しても良いし、授業の実施者を示すユーザ識別情報や端末識別情報を利用して関連付けて保存する形式でも良い。また、授業の実施日時と実施者との両方の情報を用いた形で関連付けて保存する形式としても構わない。
【００４５】
上記におけるカリキュラム情報とは、実施されている授業に関する実施内容及び計画について示す情報のことをいう。具体的には、授業の内容、実施場所、実施日時、実施者、参加者人数、又は授業を受ける受講組織に関する情報など、授業に関する様々な情報をまとめて、ここではカリキュラム情報として定義している。
【００４６】
倍率判定部１５は、カリキュラム情報取得部１３から取得したカリキュラム情報に基づいて、画像の拡大倍率を決定する。その際、倍率判定部１５は、判定テーブル１６に記憶されている倍率判定の基準となる情報を参照し、拡大倍率を判定する。そして、判定した拡大倍率と拡大指示情報とをあわせて表示制御部１７に送信する。
【００４７】
判定テーブル１６には、カリキュラム情報に含まれる所定の情報と倍率とが関連付けられた情報が、予め記憶されている。倍率と関連付けられるカリキュラム情報に含まれる所定の情報は、授業の内容、実施場所、実施日時、実施者、参加者人数、及び授業を受ける受講組織に関する情報など、どのような情報であっても構わない。
【００４８】
表示制御部１７は、画像情報取得部１２から画像情報を取得し、さらに倍率判定部１５から拡大倍率を取得する。そして、取得した画像情報に対して、拡大指示情報に含まれる座標情報を中心として、取得した拡大倍率と拡大表示装置Ｃの解像度（拡大表示装置Ｃの画角サイズ）に応じて拡大させた画像データを生成し、その拡大した画像データを含む表示制御情報を生成し、ネットワークＩ／Ｆ１０を介して拡大表示装置Ｃに対して送信する。
【００４９】
表示制御情報受信部３１は、表示制御部１７から出力された表示制御情報をネットワークＩ／Ｆ３０を介して受信し、表示装置制御部３２に送信する。
【００５０】
表示装置制御部３２は、表示制御情報受信部３１から取得した表示制御情報に基づき、表示制御情報に含まれる画像データを画像表示部３３によって表示させる。
【００５１】
上述の処理について、管理サーバＡの表示制御部１７は、生成した表示制御情報をネットワークＩ／Ｆ１０を介して、端末Ｂに対して送信するという構成としてもよい。この場合、端末Ｂの端末制御部２１は、ネットワークＩ／Ｆ２０を介して表示制御情報を受信し、受信した表示制御情報に含まれる画像データを、同じく表示制御情報に含まれる拡大倍率に基づいて拡大処理し、端末Ｂの表示装置５に表示させるという処理を行う。
【００５２】
上記の処理を行うことにより、端末Ｂのユーザは、拡大表示装置Ｃによって拡大表示された画像と同じ画像を、端末Ｂの表示装置５でも閲覧することが可能となる。
【００５３】
〔実施例１−処理プロセス〕
次に、本発明の表示変更システムにおける処理プロセスの一例を、図３の機能ブロック図及び図４のフローチャート等を用いて説明する。なお、以下の説明では、中学校における授業において本システムを用いた場合を例に説明する。また、拡大倍率を決定するカリキュラム情報として授業を受講する生徒数を用いる場合を例に説明する。
【００５４】
端末Ｂの拡大指示情報生成部２２は、端末制御部２１の情報から拡大指示操作が行われたことを検出すると、その内容に基づき拡大指示情報を生成し、その生成した拡大指示情報をネットワークＩ／Ｆ２０を介して管理サーバＡに送信する。生成される拡大指示情報の一例を図５に示す。
【００５５】
上記について、拡大指示情報が図５の通りに生成された場合を例に具体的に説明する。拡大指示情報は、日時情報、端末識別情報、ユーザ識別情報、及び座標情報の４つの情報を含んでおり、図５では、日時「２０１０／２／５  １０：４５」に、端末「Ａ００１」を使用するユーザ「ＴＣ０１２」が、表示装置５に表示されている画像を指定して拡大指示を行ったということを示している。
【００５６】
端末Ｂの画像情報生成部２３は、端末制御部２１の情報から、ユーザが拡大指示の対象として指定した領域に表示されている画像に関する情報を取得して画像情報を生成し、その生成した画像情報をネットワークＩ／Ｆ２０を介して管理サーバＡに送信する。生成される画像情報の一例を図６に示す。
【００５７】
上記について、画像情報が図６の通りに生成された場合を例に具体的に説明する。画像情報は、日時情報、端末識別情報、ユーザ識別情報、及び画像データの４つの情報を含んでおり、図６では、日時「２０１０／２／５  １０：４５」に、端末「Ａ００１」を使用するユーザ「ＴＣ０１２」が、表示装置５の指定領域に表示されている画像（画像データに示す画像）を指定して拡大指示を行ったということを示している。本実施例では、表示装置５に表示されている全範囲内を指定領域とすることとする。
【００５８】
管理サーバＡの拡大指示情報取得部１１は、端末Ｂから送信された拡大指示情報をネットワークＩ／Ｆ１０を介して取得する（Ｓ１０１）。さらに、取得した拡大指示情報をカリキュラム情報取得部１３に送信する。
【００５９】
管理サーバＡの画像情報取得部１２は、端末Ｂから送信された画像情報をネットワークＩ／Ｆ１０を介して取得する（Ｓ１０２）。さらに、取得した画像情報を表示制御部１７に送信する。
【００６０】
カリキュラム情報取得部１３は、拡大指示情報取得部１１から取得した拡大指示情報に基づいて、カリキュラム情報記憶部１４を検索し、端末Ｂにおいて現在実施されている授業に関するカリキュラム情報を抽出して取得する（Ｓ１０３）。そして、取得したカリキュラム情報と拡大指示情報とをあわせて倍率判定部１５に送信する。
【００６１】
上記のカリキュラム情報記憶部１４について、具体的に説明する。カリキュラム情報記憶部１４には、授業に関する各種情報が体系別に保存されている。本実施例では、中学校において実施される授業の情報が記憶されるので、授業の内容として科目情報、実施日時情報として時間割情報、実施場所として教室情報、受講人数としてクラス人数、受講組織としてクラス情報、などが関連付けて記憶されることとする。カリキュラム情報記憶部１４に記憶される情報の一例を、図７に示す。
【００６２】
上記について、カリキュラム情報が図７の通りに記憶されている場合を例に具体的に説明する。カリキュラム情報は、日時情報に基づいて体系別に記憶されており、日時情報（日付情報・時間帯情報）、クラス情報、クラス人数、科目情報、担当教師情報、及び教室情報の７つの情報を含んでいる。記憶されている情報の一例を紹介すると、日付「２０１０／２／５」の時間帯「９：００〜１０：５０（１時間目）」において、クラス情報「１−Ａ」・クラス人数「２５」人が、科目情報「理科」の授業を、担当教師「ＴＣ１０４」より教室「理科室」で受講する、などということが記憶されている。さらに、受講者の年齢や年齢層といった情報を含んで記憶しておくとしてもよい。これらの情報は必ず含まれていなければならないものではなく、本システムが動作する上で必要となる情報が含まれていればよい。
【００６３】
次に、上記のカリキュラム情報取得部１３における処理について具体的に説明する。拡大指示情報取得部１１から取得した拡大指示情報が図５の通りであり、カリキュラム情報記憶部１４に記憶されているカリキュラム情報が図７の通りである場合において、カリキュラム情報取得部１３は、拡大指示情報に含まれる日時情報「２０１０／２／５  １０：４５」とユーザ識別情報「ＴＣ１０５」を利用して、カリキュラム情報記憶部１４を検索し、現在行われている授業に関する情報をカリキュラム情報として抽出して取得する。その結果、クラス情報「１−Ａ」・クラス人数「２５」・科目情報「社会」・教室情報「視聴覚室」という情報が、現在実施されているカリキュラム情報として取得される。そして、カリキュラム情報取得部１３は、取得したカリキュラム情報を倍率判定部１５に送信する。
【００６４】
倍率判定部１５は、カリキュラム情報１３から取得したカリキュラム情報と、判定テーブル１６に記憶されている倍率判定の基準となる情報とに基づいて、拡大倍率を判定する（Ｓ１０４）。そして、判定した拡大倍率と拡大指示情報とをあわせて表示制御部１７に送信する。
【００６５】
上記の判定テーブル１６について、具体的に説明する。判定テーブル１６には、カリキュラム情報に含まれる所定の情報と倍率とを関連付けた、倍率判定に用いる基準となる情報が予め定められ記憶されている。判定テーブル１６に記憶されている情報の一例を、図８に示す。
【００６６】
上記について、判定テーブル１６に記憶されている情報が図８の通りであった場合を例に具体的に説明する。判定テーブルには、カリキュラム情報に含まれる所定の情報毎に、その内容と倍率とが関係付けられて設定されている。図８では、人数、科目情報、及び教室情報の３つの内容と倍率の関係が設定されている。判定テーブル１６に記憶される情報はこれらに限らず、例えば、クラス情報（学年情報）、教師情報（ユーザ識別情報）、年齢や年齢層の内容と倍率との関係を設定して記憶しても良い。また、カリキュラム情報に含まれる二つ以上の情報を組み合わせたものと倍率との関係が設定してあっても構わない。
【００６７】
次に、上記の倍率判定部１５における処理について具体的に説明する。本実施例では、カリキュラム情報取得部１３から取得したカリキュラム情報に含まれる各種情報のうち、クラス人数「２５」を用いて拡大倍率を判定することとする。倍率情報判定部１５は、判定テーブル１６に記憶されている情報を利用し、クラス人数「２５」に対応する拡大倍率を判定する。その結果、拡大倍率「６倍」と判定される。そして、判定した拡大倍率と拡大指示情報とをあわせて表示制御部１７に送信する。
【００６８】
表示制御部１７は、画像情報取得部１２から取得した画像情報と、倍率判定部１５から取得した拡大倍率及び拡大指示情報を用いて、表示制御情報を生成する（Ｓ１０５）。そして、生成した表示制御情報を、ネットワークＩ／Ｆ１０を介して拡大表示装置Ｃに対して送信する。
【００６９】
上記の表示制御部１７における処理について具体的に説明する。画像情報１２から取得した画像情報が図６の通りであり、倍率判定部１５から取得した拡大倍率が「６倍」である場合において、表示制御部１７は、拡大指示情報に含まれる座標情報を中心として、画像情報に含まれる画像データを６倍に拡大した画像データを生成し、その拡大割いた画像データを含む表示制御情報を生成する。生成した表示制御情報の一例を、図９に示す。
【００７０】
表示制御情報受信部３１は、表示制御部１７から出力された表示制御情報をネットワークＩ／Ｆ３０を介して受信し、表示装置制御部３２に送信する。
【００７１】
表示装置制御部３２は、表示制御情報受信部から取得した表示制御情報に基づき、画像データを画像表示部３３に表示する（Ｓ１０６）。画像表示部３３が表示する画像の一例を、図１０に示す。
【００７２】
上述の実施形態とすることにより、授業を行うユーザ（本実施例では「教師」）が拡大指示を行った時点で実施されていた授業の受講者（本実施例では「生徒」）の数に応じて、適切な倍率での拡大を簡単に行うことが可能となる。これにより、授業を行うユーザの負担を軽減することができる。
【００７３】
その他、上述の実施形態において、拡大倍率を判定する際に用いるカリキュラム情報に含まれる所定の情報を、受講者の数（本実施例では「クラス人数」）以外の情報に設定することによって、様々な周囲の状況に応じた拡大倍率を判定することができ、その判定した倍率で拡大表示を行うことが可能となる。
【実施例２】
【００７４】
〔実施例２−構成〕
次に、図面を用いて本発明の第二実施形態について説明する。図１１に、本発明の表示変更システムの全体構成の一例を概念的に示す。本発明は図１１に示すように、端末Ｂと拡大表示装置Ｃとが、直接接続又は通信ネットワークＮ（以下、「ネットワークＮ」という）を介して接続されるという形で構成されている。端末Ｂと拡大表示装置Ｃとの接続形式は、直接接続でもネットワークＮを介した接続でも、そのどちらであっても構わない。
【００７５】
次に、図１２の機能ブロック図を用いて、本発明の表示変更システムの第二実施形態を説明する。なお、実施例１と同一の構成部には同一の符号を付しており、実施例１と同じ動作をする場合にはその詳細な説明は省略する。
【００７６】
本発明の表示変更システムの第二実施形態は、端末Ｂの内部に、カリキュラム情報取得部１３、カリキュラム情報記憶部１４、倍率判定部１５、判定テーブル１６、及び表示制御部１７を有し、さらに、端末Ｂと拡大表示装置Ｃとは、接続Ｉ／Ｆ４０及び接続Ｉ／Ｆ５０を介して接続されているという点において、実施例１の実施形態と異なっている。
【００７７】
本実施例は、実施例１のように管理サーバＡを設けず、端末Ｂと拡大表示装置Ｃのみで本発明を実現することができるという点に特徴がある。
【００７８】
以下、各構成部の動作について説明する。なお、実施例１と同様の構成部又は同様の動作については、詳細な説明を省略する。
【００７９】
拡大指示情報生成部２２は、端末Ｂのユーザが入力装置４を用いて拡大指示を行ったことを端末制御部２１から取得し、拡大指示情報を生成する。更に生成した拡大指示情報をカリキュラム情報取得部１４に送信する。
【００８０】
画像情報生成部２３は、端末Ｂの表示装置５に表示された画像のうち、ユーザが拡大指示の対象として指定した領域に表示されている画像に関する情報を端末制御部２１から取得し、画像情報を生成する。更に生成した画像情報を表示制御部１７に送信する。
【００８１】
カリキュラム情報取得部１３は、拡大指示情報生成部１１から取得した拡大指示情報に基づいて、カリキュラム情報記憶部１４に記憶されているカリキュラム情報の中から、拡大指示情報に含まれている日時情報及び端末識別情報に基づいて、拡大指示情報が出された時点において端末Ｂが行っている授業に該当するカリキュラム情報を抽出して取得する。そして、カリキュラム情報取得部１３は、取得したカリキュラム情報を倍率判定部１５に送信する。
【００８２】
表示制御部１７は、画像情報生成部１２から画像情報を取得し、さらに倍率判定部１５から拡大倍率を取得する。そして、取得した画像情報と拡大倍率とを関連付けた表示制御情報を生成し、接続Ｉ／Ｆ１０を介して拡大表示装置Ｃに対して送信する。
【００８３】
表示制御情報受信部３１は、表示制御部１７から出力された表示制御情報を接続Ｉ／Ｆ３０を介して受信し、表示装置制御部３２に送信する。
【００８４】
上記のように構成することにより、管理サーバＡを設けない場合であっても、端末Ｂと拡大表示装置Ｃのみで本発明を実施することが可能である。これにより、本発明のシステム構成に関わる作業や費用を削減することができる。
【実施例３】
【００８５】
〔実施例３−構成〕
次に、図面を用いて本発明の第三実施形態について説明する。図１３に、本発明の表示変更システムの全体構成の一例を概念的に示す。本発明は図１３に示すように、管理サーバＡ、端末Ｂ、拡大表示装置Ｃ、及び複数のクライアント端末Ｄ（以下、「従属端末Ｄ」という）が、通信ネットワークＮ（以下、「ネットワークＮ」という）を介して接続されるという形で構成されている。
【００８６】
従属端末Ｄのハードウェア構成は、管理サーバＡ及び端末Ｂとほぼ同様で、図２に示したとおり、演算装置１、記憶装置２、通信装置３、入力装置４及び表示装置５を有している。
【００８７】
次に、図１４の機能ブロック図を用いて、本発明の表示変更システムの第三実施形態を説明する。なお、実施例１と同一の構成部には同一の符号を付しており、実施例１と同じ動作をする場合にはその詳細な説明は省略する。
【００８８】
本発明の表示変更システムの第三実施形態は、管理サーバＡの内部に、ネットワークＮに接続されている従属端末に関する情報を取得する端末情報取得部１８ａと、取得した端末情報を記憶する端末情報記憶部１８ｂと、記憶された端末情報からカリキュラム情報を生成するカリキュラム情報生成部１９とを備えているという点において、実施例１の実施形態と異なっている。
【００８９】
さらに、従属端末Ｄの内部には、ネットワークＮを介して管理サーバＡ及び拡大表示装置Ｃと様々な情報を送受信するためのネットワークＩ／Ｆ６０、従属端末Ｄにおける各種動作を実行する従属端末制御部６１、従属端末に関する情報を生成する端末情報生成部６２、従属端末Ｄに対して情報を入力する入力装置４、従属端末制御部２１によって指示された情報を表示する表示装置５が備えられている。
【００９０】
本実施例は、実施例１及び実施例２のように、予め記憶されたカリキュラム情報に基づいて拡大倍率を判定するのではなく、ネットワークに接続されている従属端末に関する情報を取得し、その情報を利用してカリキュラム情報を作り出して拡大倍率を判定するという点に特徴がある。
【００９１】
以下、各構成部の動作について説明する。なお、実施例１と同様の構成部又は同様の動作については、詳細な説明を省略する。
【００９２】
従属端末Ｄの端末情報生成部６２は、ユーザが従属端末Ｄをネットワークに接続して使用している情報を従属端末制御部６１から取得し、端末情報を生成する。更に生成した端末情報をネットワークＩ／Ｆ６０を介して管理サーバＡに送信する。
【００９３】
上記の端末情報とは、ネットワークＮに接続された従属端末Ｄがユーザによって使用されているかどうかを示す情報のことをいう。具体的には、従属端末Ｄの電源が入っているか否かを示す情報、ユーザが従属端末Ｄを介してネットワークＮにログインしたことを示す情報（ユーザ識別情報）、ネットワークＮに接続されている従属端末Ｄを一義的に示すことのできる端末識別情報、などが端末情報として考えられる。また、従属端末Ｄにおいて行われた操作内容を示す操作ログ情報を生成し、端末情報として管理サーバＡに送信しても良い。
【００９４】
端末情報取得部１８ａは、ネットワークＮに接続されている従属端末Ｄの端末情報をネットワークＩ／Ｆ１０を介して取得し、取得した端末情報を端末情報記憶部１８ｂに記憶する。端末情報取得部１８ａは、新たな端末情報を取得する都度、端末情報記憶部１８ｂに記憶されている内容を更新する。
【００９５】
カリキュラム情報生成部１９は、端末情報記憶部１８ｂに記憶されている端末情報を用いて、拡大指示情報が出された時点において端末Ｂが行っている授業に該当するカリキュラム情報を生成する。具体的には、拡大指示情報が出された時点において行われていた授業に参加している参加者人数や、授業を受けている受講組織などに関する情報を生成する。そして、生成したカリキュラム情報をカリキュラム情報記憶部１４に記憶する。
【００９６】
上記のカリキュラム情報の生成方法について具体的に説明する。例えば、カリキュラム情報として、現在行われている授業に参加している参加者数を算出する場合は、ネットワークに接続されている従属端末Ｄの電源情報を取得し、電源ＯＮ状態となっている端末が何台あるかを計数することにより、授業に参加している参加者数を算出するという方法がある。その他、ネットワークに接続されている従属端末Ｄのログイン情報を取得し、ログイン者数を計数することで、授業に参加している参加者数を算出するという方法も考えられる。また、現在行われている授業を受講している受講組織を判定する場合は、ネットワークに接続されている従属端末Ｄのログイン情報に含まれるユーザ識別情報や、操作ログ情報に含まれるユーザ識別情報を取得し、ユーザ情報データベース（図示せず）を用いて当該取得したユーザの所属する組織を特定することにより、受講組織を判定するという方法が考えられる。なお、ユーザ情報データベースには、ユーザ識別情報とユーザの属性情報（たとえば、学年、クラス、性別、視力、学力など）とが関連付けて記憶されている。
【００９７】
カリキュラム情報記憶部１４は、カリキュラム情報生成部１９において生成されたカリキュラム情報を記憶する。その記憶形式は、日時情報と関連付けて記憶されることとし、カリキュラム情報生成部１９において生成されたカリキュラム情報を新たに受信する都度、記憶している情報の内容が更新されるという形式で記憶すると好適である。
【００９８】
カリキュラム情報取得部１３は、拡大指示情報取得部１１から取得した拡大指示情報に基づいて、カリキュラム情報記憶部１４から、拡大指示情報に含まれている日時情報に基づいて、拡大指示情報が出された時点において端末Ｂが行っている授業に該当するカリキュラム情報を抽出して取得する。そして、カリキュラム情報取得部１３は、取得したカリキュラム情報を倍率判定部１５に送信する。
【００９９】
〔実施例３−処理プロセス〕
次に、本実施例の表示変更システムにおける処理プロセスの一例を、図１４の機能ブロック図及び図１５のフローチャート等を用いて説明する。なお、以下の説明では、中学校における授業において本システムを利用した場合について説明する。また、拡大倍率を決定するカリキュラム情報として、授業を受講する生徒数を用いる場合を例に説明する。
【０１００】
図１５のフローチャートにける（Ｓ３０３）から（Ｓ３０４）、（Ｓ３０７）から（Ｓ３０８）の動作については、〔実施例１−処理プロセス〕と同様のため、その説明を省略する。
【０１０１】
従属端末Ｄの属性情報生成部６２は、従属端末制御部６１の情報から、ネットワークＮに対するログイン操作が行われたことを検出すると、その内容に基づき端末情報を生成し、その生成した端末情報をネットワークＩ／Ｆ６０を介して管理サーバＡに送信する。生成される端末情報の一例を図１６に示す。
【０１０２】
上記について、端末情報が図１６の通りに生成された場合を例に具体的に説明する。端末情報は、日時情報、操作内容、端末識別情報、ユーザ識別情報の３つの情報を含んでおり、図１６では、日時「２０１０／２／５  １０：３０」に、ユーザ「１Ａ０１５」が、端末「Ｂ００４」を使用してネットワークＮにログインしたということを示している。
【０１０３】
管理サーバＡの端末情報取得部１８ａは、従属端末Ｄから送信された端末情報をネットワークＩ／Ｆ１０を介して取得する。さらに、取得した端末情報を端末情報記憶部１８ｂに記憶する（Ｓ３０１）。端末情報記憶部１８ｂに記憶されている情報の一例を、図１７に示す。
【０１０４】
上記について、端末情報が図１７の通りに記憶されている場合を例に具体的に説明する。端末情報は、日時情報順に関連付けて記憶されており、日時情報、操作内容、端末識別情報、及びユーザ識別情報の４つの情報を含んでいる。これらの情報は必ず含まれていなければならないものではなく、本システムが動作する上で必要となる情報が含まれていればよい。端末情報記憶部１８ｂに記憶されている情報は、端末情報取得部１８ａにおいて新たに端末情報が出力される都度更新されるため、現在どの従属端末がネットワークＮにログイン操作を行っているのかという情報を把握することが可能となる。
【０１０５】
カリキュラム情報生成部１９は、端末情報記憶部１８ｂに記憶されている端末情報を解析し、現在時点において実施されている授業に関するカリキュラム情報を生成する。そして生成したカリキュラム情報は、カリキュラム情報記憶部１４に随時記憶する（Ｓ３０２）。カリキュラム情報記憶部１４に記憶されている情報の一例を、図１８に示す。
【０１０６】
上記について、端末情報が図１７の通りに記憶されている場合を例に具体的に説明する。カリキュラム情報生成部１９は、端末情報記憶部１８ｂに記憶されている端末情報のうち、ログイン状態にある端末数を算出する。現在日時が「２０１０／２／５  １０：３５」であった場合、ログイン状態にある端末数は「１９」と算出される。そして、そのログイン状態にある端末数が、現在授業に参加している生徒の人数であると判定する。そして、現在日時情報とログイン状態にある端末数を組み合わせてカリキュラム情報を生成し、カリキュラム情報記憶部１４に記憶する。
【０１０７】
カリキュラム情報取得部１３は、拡大指示情報取得部１１から取得した拡大指示情報に基づいて、カリキュラム情報記憶部１４から、端末Ｂにおいて現在実施されている授業に関するカリキュラム情報を取得する（Ｓ３０５）。そして、取得したカリキュラム情報を倍率判定部１５に送信する。
【０１０８】
上記について、拡大指示情報取得部１１から取得した拡大指示情報が図５の通りであった場合について具体的に説明する。カリキュラム情報取得部１３は、拡大指示情報に含まれる日時情報「２０１０／２／５  １０：４５」を利用して、カリキュラム情報記憶部１４を検索し、現在行われている授業に関する情報をカリキュラム情報として抽出して取得する。その結果、ログイン端末数（生徒数）「１９」という情報が、現在実施されているカリキュラム情報として取得される。そして、カリキュラム情報取得部１３は、取得したカリキュラム情報を倍率判定部１５に送信する。
【０１０９】
倍率判定部１５は、カリキュラム情報１３から取得したカリキュラム情報と、判定テーブル１６に記憶されている倍率判定の基準となる情報とに基づいて、拡大倍率を判定する（Ｓ３０６）。そして、判定した拡大倍率を表示制御部１７に送信する。
【０１１０】
上記について、判定テーブル１６に記憶されている情報が図８の通りであった場合を例に具体的に説明する。倍率判定部１５は、ログイン端末数（生徒数）「１９」を用いて拡大倍率を判定する。倍率情報判定部１５は、判定テーブル１６に記憶されている情報を利用し、人数「１９」に対応する拡大倍率を判定する。その結果、拡大倍率「５倍」と判定される。そして、判定した拡大倍率を表示制御部１７に送信する。
【０１１１】
上述の実施形態とすることにより、授業を行うユーザ（本実施例では「教師」）が拡大指示を行った時点で実施されていた授業の受講者（本実施例では「生徒」）の数のうち、予め定められている人数（例えばクラスの総人数など）ではなく、実際にその時点において授業に参加していた人数に応じて、適切な倍率での拡大を簡単に行うことが可能となる。これにより、よりリアルタイムで周囲の状況を判定し、最適な倍率で拡大表示を行うことが可能となる。
【実施例４】
【０１１２】
〔実施例４−構成〕
次に、図面を用いて本発明の第四実施形態について説明する。図１９に、本発明の表示変更システムの全体構成の一例を概念的に示す。本発明は図１９に示すように、端末Ｂ、拡大表示装置Ｃ、及び従属端末Ｄが、直接接続又は通信ネットワークＮ（以下、「ネットワークＮ」という）を介して接続されるという形で構成されている。端末Ｂと拡大表示装置Ｃとの接続形式は、直接接続でもネットワークＮを介した接続でも、そのどちらであっても構わない。
【０１１３】
次に、図２０の機能ブロック図を用いて、本発明の表示変更システムの第四実施形態を説明する。なお、実施例１又は実施例３と同一の構成部には同一の符号を付しており、実施例１又は実施例３と同じ動作をする場合にはその詳細な説明は省略する。
【０１１４】
本発明の表示変更システムの第四実施形態は、端末Ｂの内部に、カリキュラム情報取得部１３、カリキュラム情報記憶部１４、倍率判定部１５、判定テーブル１６、及び表示制御部１７、端末情報取得部１８ａ、端末情報記憶部１８ｂ、カリキュラム情報生成部１９を有しているという点において、実施例１及び実施例３の実施形態と異なっている。
【０１１５】
本実施形態では、実施例１及び実施例３のように管理サーバＡを設けず、端末Ｂ、拡大表示装置Ｃ、及び従属端末Ｄのみで本発明を実現することができるという点に特徴がある。
【０１１６】
本実施形態のように構成することにより、管理サーバＡを設けない場合であっても本発明を実施することが可能である。これにより、本発明のシステム構成に関わる作業や費用を削減することができる。
【符号の説明】
【０１１７】
Ａ：管理サーバ
Ｂ：端末
Ｃ：拡大表示装置
Ｄ：従属端末
１：演算装置
２：記憶装置
３：通信装置
４：入力装置
５：表示装置
１０：ネットワークＩ／Ｆ
１１：拡大指示情報取得部
１２：画像情報取得部
１３：カリキュラム情報取得部
１４：カリキュラム情報記憶部
１５：倍率判定部
１６：判定テーブル
１７：表示制御部
１８ａ：端末情報取得部
１８ｂ：端末情報記憶部
１９：カリキュラム情報生成部
２０：ネットワークＩ／Ｆ
２１：端末制御部
２２：拡大指示情報生成部
２３：画像情報生成部
３０：ネットワークＩ／Ｆ
３１：表示制御情報受信部
３２：表示装置制御部
３３：画像表示部
４０：接続Ｉ／Ｆ
５０：接続Ｉ／Ｆ
６０：ネットワークＩ／Ｆ
６１：従属端末制御部
６２：端末情報生成部
【図１】
2011170500.tif 000003
【図２】
2011170500.tif 000004
【図３】
2011170500.tif 000005
【図４】
2011170500.tif 000006
【図５】
2011170500.tif 000007
【図６】
2011170500.tif 000008
【図７】
2011170500.tif 000009
【図８】
2011170500.tif 000010
【図９】
2011170500.tif 000011
【図１０】
2011170500.tif 000012
【図１１】
2011170500.tif 000013
【図１２】
2011170500.tif 000014
【図１３】
2011170500.tif 000015
【図１４】
2011170500.tif 000016
【図１５】
2011170500.tif 000017
【図１６】
2011170500.tif 000018
【図１７】
2011170500.tif 000019
【図１８】
2011170500.tif 000020
【図１９】
2011170500.tif 000021
【図２０】
2011170500.tif 000022